(57)【要約】【課題】  光ディスクの規格は、物理的なフォーマット規格や、ファイルシステム規格、アプリケーション規格において複数の規格が定義される場合がある。それら物理フォーマットや、ファイルシステム、アプリケーションの各バージョンを組み合わせたものを考えると、非常に複雑なシステムになる。【解決手段】  記録媒体にデータを記録する規格に対応した記録媒体において、物理規格とファイルシステム規格とアプリケーション規格の少なくとも二つの組み合わせに対応したフラグ情報を記録媒体に記録するようにした。また、前記フラグ情報は前記記録媒体のユーザデータエリア又は管理情報エリアに記録するようにし、記録再生装置はその情報によって規格のバージョンを判別できるようにした。【選択図】図１
2005222629.tif 000002
【特許請求の範囲】
【請求項１】
記録媒体にデータを記録する規格に対応した記録媒体において、
物理規格とファイルシステム規格とアプリケーション規格の少なくとも二つの組み合わせに対応したフラグ情報を記録媒体に記録するようにしたことを特徴とする記録媒体。
【請求項２】
前記物理規格、ファイルシステム規格、アプリケーション規格の少なくとも一つは複数であることを特徴とする請求項１記載の記録媒体。
【請求項３】
前記フラグ情報は前記記録媒体のユーザデータエリア又は管理情報エリアに記録するようにしたことを特徴とする請求項１記載の記録媒体。
【請求項４】
前記記録媒体に記録する所定の記録単位のデータは、少なくともユーザデータとアドレス情報とコントロールデータと誤り訂正のためのパリティを含み、前記コントロールデータの一部に複数の物理規格と複数のファイルシステム規格とアプリケーション規格の少なくとも二つの組み合わせに対応したフラグ情報を記録することを特徴とする請求項１記載の記録媒体。
【請求項５】
所定のフォーマットでデータの受け渡しを行うインターフェイスにおいて、
前記インターフェイスは、記録媒体の記録装置と、記録するデータを取り扱うホストとの間でデータの受け渡しを行うものであり、前記ホストからの特定のコマンドにより、記録媒体の規格のバージョン情報を読み出すことを特徴とするインターフェイス。
【請求項６】
所定のフォーマットでデータの受け渡しを行うインターフェイスを備えた記録装置において、
前記記録装置は記録媒体への記録を行い、前記インターフェイスは、前記記録装置と、記録媒体に記録再生するデータを取り扱うホストとの間でデータの受け渡しを行うものであり、前記ホストからの特定のコマンドにより、記録媒体に記録された規格のバージョン情報を読み出し、ホストに渡すことを特徴とする記録装置。
【請求項７】
記録媒体にデータを記録する規格に対応した記録媒体において、
前記記録媒体をカバーするカートリッジを備え、該カートリッジは、物理規格とファイルシステム規格とアプリケーション規格の少なくとも二つの組み合わせに対応したフラグ情報を示す特定位置に設けられた凹凸を備えたことを特徴とする記録媒体。
【請求項８】
前記物理規格、ファイルシステム規格、アプリケーション規格の少なくとも一つは複数であることを特徴とする請求項７記載の記録媒体。
【請求項９】
前記凹凸は、スライドするシャッター機構により変更することが可能であることを特徴とする請求項７記載の記録媒体。
【請求項１０】
記録媒体にデータを記録媒体に記録する記録方法おいて、
前記記録媒体に所定の物理規格と所定のファイルシステム規格と所定のアプリケーション規格に対応したデータを記録し、
前記記録媒体に前記物理規格と前記ファイルシステム規格と前記アプリケーション規格の少なくとも二つの組み合わせに対応したフラグ情報を記録するようにしたことを特徴とする記録媒体の記録方法。
【請求項１１】
前記物理規格、ファイルシステム規格、アプリケーション規格の少なくとも一つは複数であることを特徴とする請求項１０記載の記録媒体の記録方法。
【請求項１２】
前記フラグ情報は前記記録媒体のユーザデータエリア又は管理情報エリアに記録するようにしたことを特徴とする請求項１０記載の記録媒体の記録方法。
【発明の詳細な説明】
【技術分野】
【０００１】
本発明は、異なるライセンスのバージョンを持つ記録媒体に対して記録再生を行う方法および記録装置に関する。
【背景技術】
【０００２】
データを記録するための記録媒体としてDVD-RAMが普及している。DVD-RAMは、当初記憶容量が2.6GBのバージョン1.0のものがリリースされ、その後、記憶容量が4.7GBのバージョン2.0がリリースされた。これら2.6GBのバージョン1.0と4.7GBのバージョン2.0GBはトラックピッチ等のディスクの構造が異なるため、記録再生装置はそれぞれのバージョンに対応した装置かまたは、両方のバージョンに対応した装置かで、取り扱えるディスクが規定される。
【０００３】
非特許文献１のp26図4は、次世代光ディスクであるBlu-ray  Disc規格の各媒体ごとのバージョンを示したものである。図に示されているようにBD-REはバージョン1.0がすでに２０００年６月にリリースされており、７２Mビットなどの対応した次期バージョンとして展開が計画されている。
【０００４】
非特許文献１のp31の注15には、ＤＶＤで用いられているアドレスの方式が記されており、アドレス情報と付加情報が記録されている。
【０００５】
また、非特許文献１のp32の図9には、同次世代光ディスクのカートリッジが示されている。これらのカートリッジには書き込み禁止制御用のセンサーホールが設けられており、これらはセンサーホールと呼ばれる。また、同規格では、非特許文献１のP33の図11及びP35に記載のようなファイルシステムを備えている。これはDVDなどで用いられているUDF（Universal  DiscFormat）とは異なり、高速応答、高信頼性、書き換え回数の見かけ上の増加が特徴とされている。
【０００６】
また、非特許文献１のp72の図15には、同次世代光ディスクの誤り訂正ブロックの構成が記されており、メインのデータと付加的なデータで構成された例が示されている。本データ構造に関しては、非特許文献２に詳細に記載されている。
【０００７】
また、光ディスクに対してデータを記録再生するドライブと、ＰＣ（personal  computer）との間のインターフェイスとして、ATAPIが多用されている。このATAPIの仕様としては非特許文献３に詳細に記載されている。
【０００８】
【非特許文献１】「次世代光ディスク  解体新書」日経エレクトロニクス  ブックス  2003年10月7日  p26の図4、p31の注15、p32の図9、
【０００９】
【非特許文献２】「Optical Disc System for Digital Video Recording」(Jpn. J. Appl.Phys. Vol.39(2000)Pt. 1, No.2B  Fig.2)
【非特許文献３】「Interface  特集ATA(IDE)/ATAPIの徹底活用研究」(CQ出版  2000年7月1日  P108表4)
【発明の開示】
【発明が解決しようとする課題】
【００１０】
このように、光ディスクの規格は、物理的なフォーマットが変更されて複数のバージョンを持つ場合があり、また、ファイルシステムにおいても、特徴のあるファイルシステムの規格や、従来の光ディスクで用いられている規格がある。アプリケーションも、映画などのＡＶ用途を対象としたものや、ＰＣ用途を対象にしたものなど、様々な使い方に応じたものが考えられる。そして、それら物理フォーマットや、ファイルシステム、アプリケーションの各バージョンを組み合わせたものを考えると、非常に複雑なシステムになる。
【課題を解決するための手段】
【００１１】
このような問題を解決するために、本発明は、記録媒体にデータを記録する規格に対応した記録媒体において、物理規格とファイルシステム規格とアプリケーション規格の少なくとも二つの組み合わせに対応したフラグ情報を記録媒体に記録するようにした。また、前記フラグ情報は前記記録媒体のユーザデータエリア又は管理情報エリアに記録するようにした。
【００１２】
前記記録媒体に記録する所定の記録単位のデータは、少なくともユーザデータとアドレス情報とコントロールデータと誤り訂正のためのパリティを含み、前記コントロールデータの一部に複数の物理規格と複数のファイルシステム規格とアプリケーション規格の少なくとも二つの組み合わせに対応したフラグ情報を記録するようにした。
【００１３】
次に、所定のフォーマットでデータの受け渡しを行うインターフェイスにおいて、
前記インターフェイスは、記録媒体の記録装置と、記録するデータを取り扱うホストとの間でデータの受け渡しを行うものであり、前記ホストからの特定のコマンドにより、記録媒体の規格のバージョン情報を読み出すようにした。
【００１４】
また、所定のフォーマットでデータの受け渡しを行うインターフェイスを備えた記録装置において、前記記録装置は記録媒体への記録を行い、前記インターフェイスは、前記記録装置と、記録媒体に記録再生するデータを取り扱うホストとの間でデータの受け渡しを行うものであり、前記ホストからの特定のコマンドにより、記録媒体に記録された規格のバージョン情報を読み出し、ホストに渡すようにした。
【００１５】
また、記録媒体にデータを記録する規格に対応した記録媒体において、
前記記録媒体をカバーするカートリッジを備え、該カートリッジは、物理規格とファイルシステム規格とアプリケーション規格の少なくとも二つの組み合わせに対応したフラグ情報を示す特定位置に設けられた凹凸を備え、前記凹凸は、スライドするシャッター機構により変更することが可能とした。
【００１６】
また、記録媒体にデータを記録媒体に記録する記録方法おいて、
前記記録媒体に所定の物理規格と所定のファイルシステム規格と所定のアプリケーション規格に対応したデータを記録し、
前記記録媒体に前記物理規格と前記ファイルシステム規格と前記アプリケーション規格の少なくとも二つの組み合わせに対応したフラグ情報を記録するようにし、
前記フラグ情報は前記記録媒体のユーザデータエリア又は管理情報エリアに記録するようにした。
【発明の効果】
【００１７】
物理規格とファイルシステム規格とアプリケーション規格のうち、いずれかが複数のバージョンを持つ場合に、どのバージョンに対応した記録媒体かを容易に判別することができる。
【発明を実施するための最良の形態】
【００１８】
以下、本発明について、図を用いて説明する。
図１は、本発明による、各規格のバージョンに対応したライセンス番号の例を示した図である。ここでは、一例として記録媒体を高密度光ディスクを用いて示すが、これに限定されるものではない。
【００１９】
記録媒体の物理規格として、記憶容量の違いや対応する記録再生速度、記録媒体の物理的な構造、例えばディスクサイズや多層構造等の違いにより、異なるバージョンを割り当てる。通常物理規格の情報は、予め記録媒体上に記録されている場合が多い。これをバージョン1.0、バージョン2.0、‥‥バージョンx.yと表している。また、複数のファイルシステムに対応している場合には、その違いをバージョン（１）、バージョン（２）‥‥としており、同様にアプリケーションのバージョンをバージョン（ａ）、バージョン（ｂ）、‥‥としている。ここで、物理規格、ファイルシステム規格、アプリケーション規格のバージョンの組み合わせに対して、ライセンスを行うとする。例えば、ライセンス番号１は、物理規格はバージョン1.0、ファイルシステム規格はバージョン（１）、アプリケーション規格はバージョン（ａ）とする。同様にライセンス番号２は、物理規格はバージョン2.0、ファイルシステム規格はバージョン（２）、アプリケーション規格はバージョン（ｂ）とする。このように、ライセンス番号Ｎに対して、物理規格はバージョンx.y、ファイルシステム規格はバージョン（ｎ）、アプリケーション規格はバージョン（ｍ）が割り付けられることで、ライセンス番号がわかれば、物理規格、ファイルシステム規格、アプリケーション規格のバージョンの組み合わせを判別することができる。
【００２０】
このライセンス番号に対応した記録装置が、記録媒体に対してデータを書き込んだ場合に、記録媒体にライセンス番号も記録するようにする。これにより、記録された記録媒体及びデータが、どの規格に対応したものであるかを判別することが可能となる。また、これらの組み合わせはそれぞれが単独ではなく、一つのライセンス番号に、複数のバージョンが対応しても構わない。例えば、ライセンス番号３は、物理規格バージョン2.0とし、ファイルシステム規格はバージョン（１）とバージョン（２）に対応し、アプリケーション規格はバージョン（ｂ）に対応したものであっても構わない。更に、ライセンス番号は物理規格、ファイルシステム規格、アプリケーション規格のうち、二つの規格のバージョンの組み合わせに対応したものでも構わない。このライセンスに対応したフラグは、記録媒体に対してフォーマットされた規格のバージョンを示すようにしても良い。このようなフラグを記録することで、対応していないファイルシステムで誤ってフォーマットしてしまうような規格のバージョンの不整合による誤動作を防止することが可能になる。
【００２１】
図２は、記録媒体の領域の構成を示した一例である。通常、記録媒体には、ユーザデータを記録するためのユーザデータエリア200と、記録されているデータの管理情報を記録する管理情報エリア202、ＢＣＡ（Burst  Cutting  Area）エリア204が設けられている。ユーザデータエリア200にはユーザが記録した情報201が記録され、管理情報エリア202には、記録媒体の管理情報203が記録されている。ＢＣＡアリアは、予めディスクの特定の位置に、パイパワーのレーザを用いて、バーコードによる情報を記録する領域である。図２では、管理情報エリアは内周に配置されているが、場所はこれに限定されず、また内周と外周など複数合っても構わない。ここで、先に示したようなライセンス番号に対応した情報をフラグとして、管理情報エリアに記録することで、その記録媒体がどのライセンス番号を備えた記録装置で記録され、その記録媒体及びデータがどの規格に対応したものか、判別することができる。また、ライセンス番号を予め規定した記録媒体であれば、ＢＣＡ領域にライセンス番号フラグを記録することも可能であり、ハイパワーのレーザを備えた機器ではＢＣＡそのものを記録することも可能である。
【００２２】
予めディスク上に記録されている情報として、ウォブル信号を用いたアドレス情報があるが、これに付加情報としてライセンス番号フラグを記録しても構わない。この場合には、その記録媒体は、そのライセンス番号に予め対応したものとして提供される。
【００２３】
図２では、管理情報エリアにライセンス番号を記録する例を示したが、次に、ユーザデータエリアにライセンス番号を記録する例を示す。図３は非特許文献１のP33の図11及びP35に示された誤り訂正ブロックの構成を示したものである。メインのデータはLDCと呼ばれる誤り訂正符号を形成し、付加的なデータはBISと呼ばれる誤り訂正符号を構成する。本実施例では、この付加的なデータの中にライセンス番号に対応した符号を記録するようにする。データの記録は、少なくとも誤り訂正ブロック単位で行われるため、記録媒体に対して、異なるライセンス番号に対応した記録機器で記録を行った場合でも、誤り訂正ブロック単位で、ライセンス番号の情報を得ることができ、それに応じた制御が可能となる。
【００２４】
次に、図４は本発明によるライセンス番号読み出しコマンドに対応した記録再生装置の一例を示したものである。これは、通常のATAPIコマンドに対応したインターフェイス部にライセンス番号読み出しコマンドを追加したATAPIブロック構成の一例である。１０はRAM、５２はRAMインターフェイス、５３はFIFO、５４はコマンド制御手段、５５はパケットコマンドレジスタ、５６はライセンス番号読み出しコマンド、５７はホストインターフェイス、５８はタスクファイルレジスタ、５９はマイコンインターフェイス、１７はATAPI制御ブロック、１９はシステム制御手段、６２はホストコンピュータ（以下ホストPCと略す）、１６はライセンス番号読み出し手段、６３はコマンドを受け渡すための信号、６４はデータバスである。この実施例では、転送されるデータは一旦RAM１０に蓄えられており、RAM１０からATAPI制御ブロック１７を介して、ホストPC６２へ読み出される構成を示している。
【００２５】
例えば、ディスクドライブを接続してホストＰＣがディスクからデータを読み出す場合を用いて説明するディスクを再生して再生処理が終わったデータをＲＡＭ１０に蓄える。そのデータはＡＴＡＰＩ制御ブロック１７を介してホストＰＣ６２に転送される。ホストＰＣ６２からは特定のデータを読み出したり、データを再生したり、データを探す動作を行うなどのコマンドをコマンド用信号６３を介して送られ、それに従って、システムは動作する。ホストＰＣ６２からの信号は、ホストインターフェイス５７で受け、コマンドに対応した信号を返信する。ホストＰＣ６２からのコマンドはパケットコマンドレジスタ５５により判断され、システム制御手段１９に送られ、それに従ってシステムが制御される。送られたコマンドにしたがってコマンド制御手段５４はＦＩＦＯ５３及びホストインターフェイス５７を制御する。通常は、指定されたアドレスのユーザデータを読み出すコマンド等が送られ、それに従って、ＲＡＭ１０からＲＡＭインターフェイス５２を介して、データが読み出され、ＦＩＦＯ５３に蓄えられる。ホストＰＣ６２への転送準備が出来ると、ＦＩＦＯ５３から読み出され、ホストインターフェイス５７を介してホストＰＣ６２へデータバス６３を介してデータが送られる。
【００２６】
ここで仮に、ホストＰＣ６２からのコマンドがライセンス番号を読み出すコマンドであった場合には、ライセンス番号読み出しコマンド１６でコマンドを判定し、それに従ってシステム制御手段１９がシステムを制御する。例えば、ライセンス番号読み出し手段１７により、ディスクの特定の領域に記録されたライセンス番号を取得してＲＡＭ１０に蓄え、その読み出し結果をシステム制御手段１９に送る。システム制御手段１９は、検出されたライセンス番号にしたがってシステムを制御するとともに、ホストインターフェイス５７を介してホストＰＣ６２へライセンス番号読み出し結果を送り返す。これによって、ホストＰＣ６２は、ライセンス番号読み出しコマンドを送った答えとして、ライセンス番号読み出し結果を受け取ることが出来る。ここで読み出したライセンス番号により、ファイルシステムがUDFである場合には、システム制御はUDFフォーマットに従って処理を行い、仮にUDFに対応していないシステムである場合には、対応していないことを示すメッセージを出力するなどの処理を行う。また、システム制御手段１９は、読み出されたライセンス番号が対応していないものである場合には、ＡＴＡＰＩ制御ブロック１７からのデータ転送を止めるコマンドを返しても構わない。
【００２７】
次に、記録装置としての動作を説明する。ATAPＩコマンドに対応した動作は同様であり、ホストＰＣ６２からのコマンドにより、記録媒体にデータを記録する。ディスクが始めて挿入されると、ホストが対応しているファイルシステムにより、ディスクはフォーマットされる。例えばＵＤＦに対応したシステムであればＵＤＦとしてディスクはフォーマットされ、その後データの記録はＵＤＦの管理に従う。そのため、そのディｓ区のファイルシステムがＵＤＦで記録されていることを記録媒体上に記録する。ホストＰＣ６２からホストインターフェイス５７を介してフォーマットに対応したライセンス番号書き込みコマンドを送り、ディスク上の所定の位置にデータを書き込む。これにより、ディスクが取り出されて、別の装置で読み出した場合にも、そのディスクがどのバージョンでフォーマットされたものであるかを知ることが可能になる。
【００２８】
また、図５は本発明によるライセンス番号読み出し機能を持つ記録再生システムの構成の一実施例を示したものである。 図５において、１０はＲＡＭ、１１は記録媒体であるディスク、１２はピックアップ、１３はプリアンプ、１４は信号処理ブロック、１５は再生信号処理手段、１６はＷＭ検出手段、１７はＡＴＡＰＩ制御ブロック、１８は信号出力端子、１９はシステム制御手段、２０は回転制御手段、２１はディスクを回すモータ、２２は表示手段、２４は認証手段である。
【００２９】
ディスク１１からピックアップ１２により再生された信号は、プリアンプ１３で増幅され、信号処理ブロック１４に入力される。信号処理ブロック１４は大きく分けると、再生信号を記録されているフォーマットにしたがって再生処理を行なう再生信号処理手段１５、通常はこの中に、データの並べ替えや誤り訂正を行う処理が含まれているが詳細は図示しない。データを一時蓄えるＲＡＭ１０、再生された信号に含まれているライセンス番号読み出し出段１７、検出されたライセンス番号にしたがってシステム制御１９はライセンス番号に応じたシステム制御の切り替えと出力信号端子１８への出力を制御する。ＡＴＡＰＩ制御ブロック１７では、出力される信号をＡＴＡＰＩの転送方式にしたがって、出力する。表示手段２２は、システム制御手段からのコントロール信号を受け、その時の状態や、記録された信号に含まれた情報を表示する。認証手段２４は、このシステム全体として、他の機器と接続する時に、接続相手と双方で認証を行うための認証手段である。これにより、接続相手がどのようなライセンスに対応した機器であるかを確認することができる。また、必要に応じて、転送中のデータを途中から抜き取ることが出来ないようにスクランブルによる暗号をかけるようにする。この図では認証手段２４は、信号処理ブロック１４に含まれように記したが、実際にはこのような接続にかぎられるものではなく、システム制御手段１９に直接接続したり、ＡＴＡＰＩ制御ブロック１７にふくまれるようにすることも可能である。また、認証のための信号のやり取りをＡＴＡＰＩ制御ブロック１７を介して行う例として記しているが、これに限定されず、認証手段から直接認証先とのやり取りを行っても構わない。
【００３０】
回転制御手段２０は再生信号処理手段１５から、回転速度が検出できるような速度検出信号を受け取り、モータを制御してディスクの回転を目標の回転に制御する。システム制御手段１９は回転制御手段２０に目標の回転制御を設定する。
【００３１】
再生信号処理ブロック１４は、ディスクからの再生信号を入力として、復調や誤り訂正を行なった後のデータを出力する場合と、更に記録されたデータがＭＰＥＧで圧縮された画像データである場合には伸長処理を行なった後のデータを出力する場合がある。
【００３２】
ここで仮に、出力信号端子１８の接続先からの読み出しコマンドがライセンスを番号読み出すコマンドであった場合には、ＡＴＡＰＩ制御ブロック１７でライセンス番号読み出しコマンドを判定し、それに従ってシステム制御手段１９がシステムを制御する。例えば、ＲＡＭ１０に蓄えられたデータを読み出して、ライセンス番号読み出し手段１７により、データに埋め込まれているライセンスを番号読み出し、その検出結果をシステム制御手段１９に送る。システム制御手段１９は、読み出されたライセンス番号にしたがってシステムを制御するとともに、ＡＴＡＰＩ制御ブロック１７を介して出力信号端子１８の接続先へライセンス番号読み出し結果を送り返す。これによって、出力信号端子１８の接続先は、ライセンス番号読み出しコマンドを送った答えとして、ライセンス番号読み出し結果を受け取ることが出来る。更にデータバスに接続しているデバイスとの間で認証を行うコマンドも併せて追加するようにする。このような構成とすることで、ATAPIコマンドによるライセンス番号読み出し機能を持つ再生システムを構成することができる。
【００３３】
図６は本発明によるライセンス番号読み出しコマンドを追加した光ディスクのATAPIパケットコマンドの一例を示したものである。
【００３４】
No.１〜２４は、従来のATAPIパケットコマンドであり、No.25は“RESERVED FOR FUTURE USE（BFh）”となっている。このNo.25コマンドを新たに“ライセンス番号読み出し”コマンドとして割り当てることにより、従来までのATAPI機能はそのまま使用できて、ライセンス番号読み出しを可能にする。または、このオペコード：BFhでなくても、現在使用していないオペコードであれば、どこを用いても構わない。
【００３５】
図７及び図８は本発明によるライセンス番号読み出し機能のATAPIコマンドのパケットの一例を示したものである。図７は、ライセンス番号を読み出すデータの先頭を示すアドレスをLogical Brock Address（ロジカル ブロック アドレス）で指定して、そのブロックからライセンス番号読み出しを始める方法の一例を示したものである。図８は、ライセンス番号読み出しを了するアドレスを指定する方法である。
【００３６】
ここまで、本実施例においては、ATAPIにライセンス番号読み出しコマンドを追加した場合の例について示したが、ATAPIに限らずデータ転送を行うファーマットであれば、SCSI（Small Computer System Interface）やIEEE1394、USB（Universal Sirial Bus）など限定はなく、それぞれの空き領域に追加するコマンドを加えればよい。
【００３７】
図９は、記録媒体を保護するためのカートリッジの一例を示したものである。先に示したように、非特許文献１のp31注15には、次世代光ディスクのカートリッジ例が示されており、書込み禁止制御用のセンサーホールが用意されており、これはシャッタのように穴の位置を変更することで、状態を変更することができる。ここで、図９の例では、カートリッジ900に対して、901〜906のシャッタ式のセンサーホール（凹凸でもよい）が設けられており、それぞれに設けられた丸の位置を動かすことで表す状態が変更できる。ここでは、６個のセンサーホールを示したので、状態としては６４種類の状態を示すことができる。これらをライセンス番号に割り付ければ、外部からその記録媒体がどの規格のバージョンに体操したものが設定することができ、また変更も可能である。また、901と904を物理規格用とし、902と905をファイルシステム用とし、903と906をアプリケーション用のセンサーホールとして用いても構わない。これにより、この記録媒体のデータを再生する装置でも、データを読み出す前に、カートリッジの状態だけでライセンス番号を判別することが可能となる。また、このセンサーホールの一つをフォーマット禁止フラグとして割り当てることで、別の装置で誤フォーマットしてしまうことを防止できる。
【図面の簡単な説明】
【００３８】
【図１】本発明による、各規格のバージョンに対応したライセンス番号の例を示した図である。
【図２】記録媒体の領域の構成を示した一例である。
【図３】非特許文献１のP33の図11及びP35に示された誤り訂正ブロックの構成を示したものである。
【図４】本発明によるライセンス番号読み出しコマンドに対応した記録再生装置の一例を示したものである。
【図５】本発明によるライセンス番号読み出し機能を持つ記録再生装置の構成の一実施例を示したものである。
【図６】本発明によるライセンス番号読み出しコマンドを追加した光ディスクのATAPIパケットコマンドの一例を示したものである。
【図７】本発明によるライセンス番号読み出し機能のATAPIコマンドのパケットの一例を示したものである。
【図８】本発明によるライセンス番号読み出し機能のATAPIコマンドのパケットの一例を示したものである。
【図９】記録媒体を保護するためのカートリッジの一例を示したものである。
【符号の説明】
【００３９】
２００…ユーザデータエリア、２０１…ユーザが記録した情報、２０２…記録されているデータの管理情報を記録する管理情報エリア、２０３…記録媒体の管理情報、２０４…ＢＣＡ（Burst  Cutting  Area）エリア。
【図１】
2005222629.tif 000003
【図２】
2005222629.tif 000004
【図３】
2005222629.tif 000005
【図４】
2005222629.tif 000006
【図５】
2005222629.tif 000007
【図６】
2005222629.tif 000008
【図７】
2005222629.tif 000009
【図８】
2005222629.tif 000010
【図９】
2005222629.tif 000011